(57)【要約】【課題】フィルタアセンブリの体積を縮小しつつ、周辺電子装置への妨害を回避でき、さらにコイルおよび磁気コアを損傷しないように保護すること。【解決手段】底壁と固定壁を有するベースと、少なくとも１つのコイルが巻かれている磁気コアと、固定壁の外に設けられている少なくとも２本のピンとを備え、磁気コアが収容空間に置かれ、少なくとも１つのコイルの２つの末端が、それぞれ固定壁の少なくとも２つの導線孔を通り抜けて、それぞれ少なくとも２本のピンに接続されている。【選択図】図２
0003147143.tif 000002
【実用新案登録請求の範囲】
【請求項１】
底壁と固定壁を有し、前記固定壁が前記底壁の上に収容空間を画定するように設けられ、前記固定壁上に少なくとも２つの導線孔が設けられているベースと、
磁気コアと、
前記磁気コアに巻かれ、２つの末端を有する少なくとも１つのコイルと、
前記固定壁の外に設けられた少なくとも２本のピンとを備え、
前記少なくとも１つのコイルが巻かれている前記磁気コアが前記収容空間内に置かれ、前記２つの末端がそれぞれ前記少なくとも２つの導線孔を通り抜けて、それぞれ前記少なくとも２本のピンに接続されている、
フィルタアセンブリ。
【請求項２】
前記少なくとも２本のピンが前記底壁の１つの辺縁に設けられている、請求項１に記載のフィルタアセンブリ。
【請求項３】
いずれも２つの末端を有する２つのコイルを備える、請求項１に記載のフィルタアセンブリ。
【請求項４】
固定壁に４つの導線孔が設けられている、請求項３に記載のフィルタアセンブリ。
【請求項５】
４本のピンを備え、末端がそれぞれ導線孔を通り抜けて、それぞれ前記ピンに接続されている、請求項４に記載のフィルタアセンブリ。
【請求項６】
前記磁気コアの材料が鉄および鉄合金のうちから選んだ１つである、請求項１に記載のフィルタアセンブリ。
【請求項７】
前記固定壁が連続した円筒および不連続な円筒のうちの１つである、請求項１に記載のフィルタアセンブリ。
【請求項８】
前記不連続な円筒が少なくとも２つの間隙を有し、少なくとも２つの導線孔が前記少なくとも２つの間隙である、請求項７に記載のフィルタアセンブリ。
【請求項９】
前記不連続な円筒が少なくとも２つの溝を有し、少なくとも２つの導線孔が少なくとも２つの溝である、請求項７に記載のフィルタアセンブリ。
【請求項１０】
前記固定壁上に跨がって固定されている挿入片をさらに備える、請求項１に記載のフィルタアセンブリ。
【請求項１１】
前記固定壁と前記磁気コアの間に間隙が保たれている、請求項１に記載のフィルタアセンブリ。
【請求項１２】
前記少なくとも１つのコイルが巻かれている前記磁気コアが前記底壁上に近接して設けられている、請求項１に記載のフィルタアセンブリ。
【請求項１３】
前記底壁と前記固定壁が一体成形されている、請求項１に記載のフィルタアセンブリ。
【請求項１４】
前記底壁と前記固定壁が２つの分離した個体である、請求項１に記載のフィルタアセンブリ。
【請求項１５】
前記少なくとも２本のピンがＬ字形である、請求項１に記載のフィルタアセンブリ。
【考案の詳細な説明】
【技術分野】
【０００１】
本考案はフィルタアセンブリに関し、特に、体積が小さく、周辺電子装置への妨害を回避でき、かつその内部のコイルと磁気コアを損傷しないように保護することができるフィルタアセンブリに関する。
【背景技術】
【０００２】
近年、ハイテク産業が日増しに隆盛し、日常生活において各種電子製品を使用する機会がますます頻繁になっている。
一般に電子製品は多くの電子素子を含んでいるが、各電子素子は大量の電磁波による妨害を生じやすい。そのため、通常電磁波による妨害を低減するために電子素子と線路の間に線路フィルタ（ラインフィルタ  line filter）を採用している。
また、使用の利便性と携帯性を高めるために、今や体積の小型化が電子製品設計における必然的趨勢となっている。
したがって、必要な素子すなわち線路フィルタの体積の縮小が、この業界の電子製品全体の寸法ニーズに対応するための主要手段の１つとなっている。
【０００３】
公知の線路フィルタ１は、２組のコイル１１、コア（図示せず）およびベース１３を備え、その側面図は図１に示すとおりである。
２組のコイル１１はそれぞれコアの外表面の両側に巻かれ、コアはコイル１１を巻いてからベース１３に固定される。
ベース１３はベース１３の上表面から下に延びる数本のピン１５を備え、各組のコイル１１の両端のリード線はピン１５とはんだ付けして電気的接続を形成する必要がある。
リード線はコアの下側のピン１５とはんだ付けするために下向きに引き出されるので、リード線とピン１５のはんだ付け箇所に形成されるはんだ突起１７により、線路フィルタ１全体の高さが高くなり、また約２〜５ミリメートル（ｍｍ）の間隙１０が形成される。
このような構造は、電子製品中で比較的大きい体積を占めるだけでなく、線路フィルタ１のコイル１１が露出しているため、損傷しやすく、隣の電子素子と妨害現象が生じやすく、線路フィルタの正常な働きに影響を及ぼす。
【０００４】
以上をまとめると、現在の線路フィルタは、構造設計が悪く、体積が大きすぎ、損傷しやすく、周辺電子素子を妨害するなどの問題点がある。このことに鑑みて、この業界において早急に達成すべき目標は、どのように線路フィルタの構造設計を改良し、この線路フィルタを採用する電子製品の体積を小さくし、同時に線路フィルタの損傷または妨害の発生を回避するかである。
【考案の開示】
【考案が解決しようとする課題】
【０００５】
本考案の目的は、フィルタアセンブリを使う電子製品に占めるその体積をより小さくし、同時にフィルタアセンブリ中のコイルおよび磁気コアを衝突によって損傷しないように保護でき、周辺の他の電子素子への電磁妨害を回避できる、フィルタアセンブリを提供することである。
【課題を解決するための手段】
【０００６】
上記目的を達成するために、本考案が提供するフィルタアセンブリは、ベースと、磁気コアと、少なくとも１つのコイルと、少なくとも２本のピンとを備えている。ベースは底壁と固定壁を有し、固定壁が底壁の上に収容空間を画定するように設けられ、固定壁上に少なくとも２つの導線孔が設けられている。少なくとも１つのコイルは２つの末端を有し、少なくとも１つのコイルは磁気コアに巻かれている。少なくとも２本のピンは固定壁の外に設けられている。このアセンブリにおいては、少なくとも１つのコイルが巻かれている磁気コアが収容空間内に置かれ、２つの末端がそれぞれ少なくとも２つの導線孔を通り抜けて、それぞれ少なくとも２本のピンに接続されている。
【考案の効果】
【０００７】
本考案はこれにより、フィルタアセンブリを使う電子製品に占めるその体積がより小さくなり、また、少なくとも１つのコイルが巻かれている磁気コアを固定壁と底壁で画定された収容空間内に置くことにより、衝突による損傷を回避でき、同時に動作時に外部の電子素子に与える妨害が低減される。
【０００８】
添付した図面および以下の実施形態の説明を参照すれば、当業者ならば、本考案のその他の目的ならびに本考案の技術的手段および実施形態を理解することができる。
【考案を実施するための最良の形態】
【０００９】
次に実施例によって本考案の内容を説明する。
ただし、本考案の実施例は、本考案を実施例に述べるいずれかの特定の環境、応用または特定の方式においてのみ実施可能であると限定するものではない。
したがって、実施例の説明は本考案を制限するものではなく、本考案の目的を説明するものにすぎない。
以下の実施例および図中で、本考案と直接関連しない部品については省略し、図示していないことを付記しておく。
【００１０】
本考案の良好な実施例を図２に示す。
これは主に本考案のフィルタアセンブリ２を示す概略図である。
フィルタアセンブリ２の平面図および断面図をそれぞれ図３および図４に示す。図４は図２の断面線Ａ−Ａ’に沿った断面図である。
図に示すように、フィルタアセンブリ２は、ベース２１と、磁気コア２３と、２つのコイル２５と、４本のピン２７と、挿入片２８とを備えている。
【００１１】
ベース２１は底壁２１１と固定壁２１３を有し、固定壁２１３が底壁２１１の上に設けられて、底壁２１１とともに収容空間を画定しており、固定壁２１３上に４つの導線孔２１３ａが設けられている。
本実施例では、固定壁２１３は不連続な円筒形を呈し、かつ４つの間隙を有し、前記４つの導線孔２１３ａがすなわちこの４つの間隙である。
他の実施形態では固定壁２１３の外形は連続した円筒であってもよく、その場合、固定壁２１３は４つの溝を有し、前記４つの導線孔２１３ａがすなわちこの４つの溝である。
各図に示すように、本実施例の底壁２１１と固定壁２１３は２つの分離した個体であり、底壁２１１と固定壁２１３を接着、嵌め込みまたは螺合などによって一緒に固定することができる。
他の実施形態では、底壁と固定壁を一体成形することもできる。
本考案を実施する場合、ベース２１の材料はポリ塩化ビニル（ＰＶＣ）を採用することができる。ただし本考案はこの材料に限定されるものではない。
【００１２】
各図に示すように、磁気コア２３は円環形を呈し、その材料は鉄および鉄合金のうちの１つから選ぶ。
他の実施形態では、磁気コア２３を矩形など他の対称な形態にすることもできる。
前記２つのコイル２５は磁気コア２３上に巻かれており、さらに詳しく言うと、２つのコイル２５はそれぞれ対向して設けられ、かつ磁気コア２３の外表面の両側に巻かれ、各コイル２５がいずれも２つの末端を有する。
コイル２５が巻かれた磁気コア２３は収容空間内に置かれ、固定壁２１３と磁気コア２３の間に一定の間隙が保たれる。
特に注意すべきことであるが、コイル２５を巻いた後の磁気コア２３は底壁２１１上に近接して設けられており、巨視的には両者の間は緊密に隣接している。
さらに、本実施例で採用する磁気コア２３の横断面の面積は公知の磁気コアの横断面面積より大きく、そのため磁気コア２３の高さが低減し、フィルタアセンブリ２の体積が一層縮小されている。
【００１３】
４本のピン２７は底壁２１３の外に設けられている。
さらに具体的に言うと、図２に示すように、本実施例のピン２７は底壁２１３の辺縁に設けられ、その形状はＬ字形である。
各Ｌ字形ピン２７の一端側は底壁２１３の辺縁の外に突出して設けられるが、他端は下向きに底壁２１３から突出して下側の線路板（図示せず）に差し込まれ、電気的に接続されている。
各Ｌ字形ピン２７の設置位置やピンの設置数は適宜選択することができる。
各コイル２５の２の末端は、それぞれ４つの導線孔２１３ａを通り抜けて、それぞれ４本のピン２７と電気的に接続される。
【００１４】
図２に示すように、本実施例の挿入片２８は略ｍ字形を呈しており、対向する２つの端部が固定壁２１３上に固定して嵌め込まれ、挿入片２８のｍ字形の欠け口部位は磁気コア２３を挟持して固定するのに用いられる。
言い換えれば、挿入片２８のｍ字形の欠け口底面は磁気コア２３の上縁と当接するのに適しており、それによって、本考案の挿入片２８は安全基準が求める安全距離を保証することができる。
本実施例においては、挿入片２８の材料はポリ塩化ビニル（ＰＶＣ）であり、その厚さは実質的に３．２ｍｍであるが、他の実施形態では他の材料および厚さを採用することができ、上記に限定されるものではない。
さらに、挿入片２８は、ベース２１上に嵌め込んで固定するとともに、接着により結合をより確実にしている。他の実施形態では他の結合方式を採用することができる。
【００１５】
本実施例で採用している略ｍ字形の挿入片２８の他に、本考案の他の実施形態のフィルタアセンブリ５では、図５に示すように略Ｔ字形の挿入片５８を採用することができる。
フィルタアセンブリ５の素子のベース５１、底壁５１１、固定壁５１３、磁気コア５３およびコイル５５などはいずれも上記実施例のフィルタアセンブリ２の対応する素子と大体同じであり、唯一の相違点は、フィルタアセンブリ５の挿入片５８がＴ字形を呈していることである。
これにより、挿入片５８の対向する２つの末端が直接固定壁５１３上に接続され、Ｔ字形の底部がベース５１の底壁５１１上に固定される。挿入片５８のＴ字形の左下と右下の２つの欠け口部分は、磁気コア５３を挟持して固定するのに用いられる。
このような状況では、コイル５５は直接固定壁５１３の内面と緊密に隣接する。使用される挿入片５８の材料、厚さに関してはいずれも上記実施例の説明と同じであり、ここでは繰り返し説明をしない。
【００１６】
本考案の各素子および各構成部品の数量は本文の記述によって限定されるものではないことを付記しておく。
さらに詳しく言えば、前記少なくとも２つの導線孔、少なくとも１つのコイル、少なくとも２本のピン、少なくとも２つの間隙、少なくとも２つの溝はすべて応用形態において調整される数量とみることができる。
【００１７】
以上をまとめると、同じパワー、電流などの特性をもつ公知のフィルタと比較すると、本考案が提供するフィルタアセンブリでは、コイルの両端のリード線は直接下向きにピンと接続されるのではなく、側面の固定壁上の導線孔を通り抜けるので、コイルが巻かれている磁気コアとベースの間に間隙が生じず、フィルタアセンブリ全体の高さが低減し、体積が縮小される。
また、コイルが巻かれている磁気コアをベース上の底壁と固定壁で画定される収容空間内に置いて固定するので、フィルタアセンブリ中のコイルおよび磁気コアを衝突によって損傷しないように保護することができ、同時にフィルタアセンブリの動作時に外部電子素子に与える妨害を低減することができる。
【００１８】
上記した実施例は本考案の実施形態の例を示し、本考案の技術的特徴を説明するためのものにすぎず、本考案の範囲を制限するものではない。当業者が容易に行える変更および同等の処理はすべて本考案で主張する範囲に属するものであり、本考案の権利の範囲は実用新案登録請求の範囲に基づくものである。
【図面の簡単な説明】
【００１９】
【図１】公知の線路フィルタの側面図である。
【図２】本考案のフィルタアセンブリの概略図である。
【図３】本考案のフィルタアセンブリの平面図である。
【図４】本考案のフィルタアセンブリの断面図である。
【図５】本考案の他のフィルタアセンブリの概略図である。
【符号の説明】
【００２０】
１        線路フィルタ
１０      間隙
１１      コイル
１３      ベース
１５      ピン
１７      はんだ付け点
２        フィルタアセンブリ
２１      ベース
２１１    底壁
２１３    固定壁
２１３ａ  導線孔
２３      磁気コア
２５      コイル
２７      ピン
２８      挿入片
５        フィルタアセンブリ
５１      ベース
５１１    底壁
５１３    固定壁
５３      磁気コア
５５      コイル
５８      挿入片
【図１】
0003147143.tif 000003
【図２】
0003147143.tif 000004
【図３】
0003147143.tif 000005
【図４】
0003147143.tif 000006
【図５】
0003147143.tif 000007